(57)【要約】【課題】既存の電池保護回路を利用することにより、電池出力に直接接続されるパワーアンプ等の回路ブロックの故障や異常に対する瞬時且つ確実な保護機能を実現し、移動携帯端末の安定性、安全性を維持する。【解決手段】電池の保護回路１０７ａを備える電池１０７からパワーアンプ１０２にＦＥＴ１１０９ａを介して電源電流が供給される。電圧監視部１０８ａはパワーアンプ１０２を監視し、判定部１０８ｂは、送信状態において監視結果が異常の場合にオン状態にあるＦＥＴ１１０９ａをオフ状態とし、且つＦＥＴ２１０９ｂをオン状態としてパワーアンプ１０２への電源を遮断するとともに、電池の出力部を短絡して大電流を流して保護回路１０７ａを動作させ、電池１０７の出力電流を遮断する。【選択図】        図１
2005020208.tif 000002
【特許請求の範囲】
【請求項１】
所定の電流値以上の電流の出力時に電池の出力電流を遮断する保護回路を備える電源により動作する移動携帯端末において、
回路ブロックの所定の監視箇所の電流又は電圧が許容範囲内か否かを検出する検出回路と、前記検出回路が前記許容範囲外であることを検出した場合に前記回路ブロックへの電源の電流の供給路を切断するとともに前記電池に前記電流値以上の電流を流す電流制御回路と、を備えることを特徴とする移動携帯端末。
【請求項２】
電池の出力部と回路ブロックの間に設けた電子スイッチと、前記電子スイッチの端子間を監視箇所とし、前記検出回路が前記端子間の電位差が所定のしきい値以上であることを検出した場合に、前記電子スイッチを一定時間、オフ状態とするとともに、電源の出力部を一定時間、短絡することを特徴とする請求項２記載の移動携帯端末。
【請求項３】
送信状態でのみ前記電子スイッチをオン状態に制御する送信制御信号を出力する送信制御回路を備え、前記検出回路が送信状態で前記端子間の電位差が所定のしきい値以上であることを検出した場合に前記電子スイッチに対する送信制御信号を切断して、前記電子スイッチを一定時間、オフ状態とすることを特徴とする請求項２記載の移動携帯端末。
【請求項４】
前記回路ブロックには送信用のパワーアンプを含み、前記監視箇所は前記パワーアンプを構成する増幅素子の入力側のバイアス部又は出力側の電源バイアス部であることを特徴とする請求項１記載の移動携帯端末。
【請求項５】
電池の出力部と前記パワーアンプの電源バイアス部との間に設けた電子スイッチと、前記電子スイッチの端子間を監視箇所とし、前記検出回路が前記端子間の電位差が所定のしきい値以上であることを検出した場合に、前記電子スイッチを一定時間、オフ状態とするとともに、電源の出力を一定時間、短絡することを特徴とする請求項４記載の移動携帯端末。
【請求項６】
送信状態でのみ前記電子スイッチをオン状態に制御する送信制御信号を出力する送信制御回路を備え、前記検出回路が送信状態で前記端子間の電位差が所定のしきい値以上であることを検出した場合に前記電子スイッチに対する送信制御信号を切断して、前記電子スイッチを一定時間、オフ状態とすることを特徴とする請求項５記載の移動携帯端末。
【請求項７】
前記パワーアンプは、増幅素子としてのデプレッション型の電界効果トランジスタのゲート電極に逆バイアスを与え、ソース電極に電源バイアスを与えたソースフォロアで構成されていることを特徴とする請求項４、５又は６記載の移動携帯端末。
【請求項８】
前記電子スイッチは、ゲート電極に送信制御信号が入力され、ソース電極とドレイン電極が電池の出力部とパワーアンプの電源バイアス部との間に接続された電界効果トランジスタで構成されていることを特徴とする請求項６又は７記載の移動携帯端末。
【請求項９】
前記保護回路は、電池の電流路を開閉する電子保護スイッチと、前記電子保護スイッチの端子間の電圧が所定のしきい値以上の場合に前記電子保護スイッチをオフ状態に制御する電源制御回路とを備えることを特徴とする請求項１ないし８の何れかの請求項記載の移動携帯端末。
【発明の詳細な説明】
【０００１】
【発明が属する技術分野】
本発明は、移動携帯端末に関し、特に、回路ブロックの保護を可能とする移動携帯端末に関する。
【０００２】
【従来の技術】
移動携帯端末の電源回路には電池が使用されており、該電池から過大電流が流出することにより電池の性能劣化や破壊等が起こらないように、過大電流の流出時に電池電流を遮断する電池保護回路を備えている。
ところが昨今の移動携帯端末では、操作の利便性や表示の視認性の向上を図る等のため、折り畳み形状として表示画面を大きくしたり、イルミネーション、ストロボ撮影、振動着信等、多機能化及び高消費電力化が進んできており、より多くの電池電流の供給が必要になってきており、電池保護回路が動作するしきい値を次第に上げざるを得ない状況にある。
【０００３】
なお、パワーアンプの電源に関し、交流電源（ＡＣ）側にヒューズＦを有する電源回路を使用し、パワーアンプ回路内の必要部分の電源電圧を電源電圧監視回路により監視して電源異常を検出した時、強制駆動回路によりパワーアンプ内に貫通電流を流して前記ヒューズを溶解させ、電源を遮断する技術が特許文献１に記載されている（段落００２８、００２９、図４参照）。
【０００４】
【特許文献１】
特許第３３２０４８６号
【０００５】
【発明が解決しようとする課題】
移動携帯端末に設けられた電池保護回路は、送信パワーアンプ等の回路ブロックに過大な電流が流れた場合にも直ちに動作する結果、実装されている何れかの回路ブロックに過大電流が継続して流れることによる当該回路ブロックの破壊等に対する保護機能としても有効である。
【０００６】
しかしながら、電池保護回路の動作しきい値を高く設定するようになると、前述のような機能が損なわれることになる。例えば送信パワーアンプなどのように電池出力に直接接続される回路ブロックの部品の異常や何らかの理由による制御異常により、大電流が流れる状態に陥っても、電池保護回路による電池電流の遮断動作が直ちに行われなくなり当該回路ブロックに回復不可能なダメージを与えることが起こりうるという問題がある。前記特許文献１にはパワーアンプ回路内の電圧の異常により電源を遮断することが記載されているが、これは交流電源の一次側ヒューズを溶解するものであり、移動携帯端末の異常な回路ブロックへの瞬時の電流遮断を必要とする前述の課題からして認識されていない。
（目的）
本発明の主な目的は、回路ブロックの故障や制御異常に対して確実かつ瞬時に保護機能が働く移動携帯端末を提供することにある。
【０００７】
本発明の他の目的は、電池出力に直接接続されるような回路ブロックの異常動作に対する保護機能と実装回路への充分な電源電流の供給を可能とし、装置の安定性及び安全性を維持することを可能とした移動携帯端末を提供することにある。
【０００８】
本発明の他の目的は、既存の電池保護回路を利用することにより、電池出力に直接接続されるパワーアンプ等の回路ブロックの故障や異常に対する瞬時且つ確実な保護機能を実現し、装置の安定性、安全性を維持することが可能な移動携帯端末を提供することにある。
【０００９】
【課題を解決するための手段】
本発明の移動携帯端末は、所定の電流値以上の電流の出力時に電池の出力電流を遮断する保護回路（例えば図１の１０７ａ）を備える電源（例えば図１の１０７）により動作する移動携帯端末において、回路ブロック（例えば図１の１０２）の所定の監視箇所の電流又は電圧が許容範囲内か否かを検出する検出回路（例えば図１の１０８）と、前記検出回路が前記許容範囲外であることを検出した場合に前記回路ブロックへの電源の電流の供給路を切断するとともに前記電池に前記電流値以上の電流を流す電流制御回路（例えば図１の１０９）と、を備えることを特徴とする。
【００１０】
また、前記回路ブロックには送信用のパワーアンプ（例えば図１の１０２）を含み、前記監視箇所は前記パワーアンプを構成する増幅素子の入力側のバイアス部又は出力側の電源バイアス部（例えば図２の−Ｖｇ又は＋Ｖｓ）であることを特徴とし、電池の出力部と前記パワーアンプの電源バイアス部との間に設けた電子スイッチ（例えば図１の１０９ａ）と、前記電子スイッチの端子間を監視箇所とし、前記検出回路が前記端子間の電位差が所定のしきい値以上であることを検出した場合に、前記電子スイッチを一定時間、オフ状態とするとともに、電源の出力を一定時間、短絡することを特徴とし、送信状態でのみ前記電子スイッチをオン状態に制御する送信制御信号を出力する送信制御回路（例えば図１の１０６）を備え、前記検出回路が送信状態で前記端子間の電位差が所定のしきい値以上であることを検出した場合に前記電子スイッチに対する送信制御信号を切断して、前記電子スイッチを一定時間、オフ状態とすることを特徴とする。
【００１１】
また、前記パワーアンプは、増幅素子としてのデプレッション型の電界効果トランジスタ（例えば図３の１０２ａ１）のゲート電極に逆バイアスを与え、ソース電極に電源バイアスを与えたソースフォロア（例えば図３）で構成されていることを特徴とし、前記電子スイッチは、ゲート電極に送信制御信号が入力され、ソース電極とドレイン電極が電池の出力部とパワーアンプの電源バイアス部との間に接続された電界効果トランジスタで構成されていることを特徴とする。
【００１２】
更に、前記保護回路（例えば図１の１０７ａ）は、電池の電流路を開閉する電子保護スイッチ（例えば図２の１０７ａ２）と、前記電子保護スイッチの端子間の電圧が所定のしきい値以上の場合に前記電子保護スイッチをオフ状態に制御する電源制御回路（例えば図２の１０７ａ１）とを備えることを特徴とする。
（作用）
本発明は、既存回路である電池の保護回路と、電池出力に直接接続されるパワーアンプ等の部分が故障や制御異常となった場合に大電流を流す制御手段とを組合せることにより装置の安全性を維持することを可能とする。より具体的には、パワーアンプなどへの大電流を流すことができ、且つ電池出力に直接接続される回路の電位を監視し、非送信時に監視している部分に電池の保護回路が動作しないレベルの異常電流を検出した場合、積極的に電池の保護回路が動作する異常電流を流し、電池保護回路を動作させる事により移動携帯端末の動作を停止させる。また、送信時に監視している部分の電位異常を検出した場合には、パワーアンプの電源制御用の電界効果トランジスタを強制的にオフし、送信を停止させる。また、パワーアンプの電源制御用の電界効果トランジスタのソース，ドレイン電圧と、パワーアンプの電界効果トランジスタのゲートバイアスである負電圧及び送信制御のタイミングと、非送信時の電圧判定、送信時の電圧判定、電圧差判定等を行い、非送信時に異常を検出した場合には自らの電池保護回路が動作する電流を流し、電池保護回路を動作させて、電池出力をオフさせる。送信時に異常を検出した場合には、送信制御を強制的にオフにすることによって送信を停止させる。
【００１３】
【発明の実施の形態】
（構成の説明）
図１は、本発明の一実施の形態の移動携帯端末における電源回路の構成を示す図である。
【００１４】
本実施の形態は電源回路として、電池セル１０７ａと、該電池セル１０７ａに大電流が流れることによる破損等から保護する保護回路１０７ａとから構成された電池１０７を備える。また、送信系回路として、各種のバイアス電圧を出力し、送信及び非送信の動作等を制御するベースバンドＬＳＩ１０６と、信号の直交変調器１０５、ドライバアンプ１０４、負電圧発生部１０３によりゲートバイアスが与えられたパワーアンプ１０２及びアイソレータ１０１を備える。
【００１５】
また、電源制御系回路として、電池１０７からパワーアンプ１０２に電力の供給（オン）／非供給（オフ）を制御するＰｃｈ電界効果トランジスタＦＥＴ１１０９ａ及び電池１０７の出力部を短絡するように制御するＰｃｈ電界効果トランジスタＦＥＴ２１０９ｂから構成されたパワーアンプ電源制御部１０９と、回路ブロックの各部の回路異常を検出し、異常時に電池１０７から流れる電流を増大させ保護回路１０７ａを動作させるための検出回路１０８とを備える。ここで、ＦＥＴ１１０９ａ及びＦＥＴ２１０９ｂは、後述するベースバンドＬＳＩ１０６からの送信制御信号及び判定部１０８ｂからの出力をそれぞれゲートに入力しオン／オフ制御される。
【００１６】
更に、電池１０７から供給される電力により動作し、電池１０７に直接接続されるようなイルミネーション、撮影用のフラッシュ、鳴音、振動報知等を含む移動通信端末の他の回路ブロックとから構成される。
【００１７】
図２は、保護回路を備える電池１０７の構成例を示す図である。電池セル１０７ｂの負側の電流路に電界効果トランジスタＦＥＴ１０７ａ２のドレイン−ソース電極を直列接続するとともに、ＦＥＴ１０７ａ２のドレイン及びソースの電位差を検出して、該電位差が所定値以上になったときＦＥＴ１０７ａ２のゲートを制御してドレイン−ソース間に流れる電流を遮断するように制御する制御回路１０７ａ１を備える。電池電流の正常範囲では、ＦＥＴ１０７ａ２は導通状態であるが、電池電流が増大するとドレイン−ソース間の電位差が増大し、前記所定値以上になると電池電流の異常としてＦＥＴ１０７ａ２を出力部への電流を遮断する。
【００１８】
図３は本実施の形態で電圧監視対象のパワーアンプ１０２の構成例を示す図である。回路ブロックとしてのパワーアンプ１０２の一段分の増幅器構成を示している。増幅素子としてデプレッション型の電界効果トランジスタＦＥＴ１０２ａ１を使用し、ゲート電極に対し、抵抗Ｒ１、Ｒ２による抵抗分割により負（逆バイアス）のゲートバイアス電圧を印加し、ソース電極に負荷ＲＬを介して正の電源バイアス電圧を印加し、ドレイン電極を接地し、ゲート電極に入力した入力信号をソース電極から整合回路１０２ａ２を介して増幅出力するソースフォロワ構成を採用している。逆バイアスのゲートバイアス電圧が低下したり零電圧になるとデプレッション特性により大電流が流れたり、ＦＥＴ１０２ａ１及び整合回路１０２ａ２側の異常等によりソース電極側に対し大電流が流れる等の状況が継続すると回路破壊に繋がるおそれがある。
【００１９】
次に、図１に示す各部及びその相互のより詳細な構成及び機能について説明する。
バースバンドＬＳＩ１０６は、電池１０７を電源とし各種のバイアス電圧の出力及び送信信号Ｉ、Ｑの出力に加えて、送信信号をバースト状に出力するための制御を行い、該バースト期間に同期した矩形（Ｂｕｒｓｔ：バースト）状のバイアス電圧と送信制御信号を出力する。特に、ドライバアンプ１０４、直交変調器１０５にバースト状のバイアス電圧（２．８Ｖ）、パワーアンプ１０２にバイアス用の電圧（２．５Ｖ）、検出回路１０８に保護回路１０７ａが電池電流を遮断しても電圧を出力するバックアップ電圧（２．８Ｖ）、検出回路１０８にバースト期間に同期して送信時はローレベル、非送信時はハイレベルの送信制御信号を出力する。
【００２０】
送信信号Ｉ、Ｑは、ベースバンドＬＳＩ１０６から直交変調器１０５へ与えられ、周波数変換された後にドライバアンプ１０４及びパワーアンプ１０２で増幅され、アイソレータ１０１を介してアンテナ部へ供給される。直交変調器１０５とドライバアンプ１０４は、ベースバンドＬＳＩ１０６からの矩形状の直流電圧によりバイアス制御され、送信期間のみ送信信号を出力する。また、パワーアンプ１０２はベースバンドＬＳＩ１０６からの直流電圧により所定の負電圧を発生する負電圧発生部１０３によりパワーアンプを構成する電界効果トランジスタ１０２ａ１のバイアス電圧が供給される。
【００２１】
検出回路１０８は、ベースバンドＬＳＩ１０６のバックアップ電源で動作し、電圧監視部１０８ａ、判定部１０８ｂ、抵抗１０８ｃ、切替スイッチ（切替ＳＷ）１０８ｄ、プルアップ抵抗（プルＵＰ抵抗）１０８ｅ及びタイマ１０８ｆを備える。なお、検出回路１０８はベースバンドＬＳＩ１０６のバックアップ電源を使用している為、電池１０７の出力がオフした場合においても動作可能な構成となっている。
【００２２】
電圧監視部１０８ａは、抵抗１０８ｃ等により設定された電圧検出用の１ないし複数のしきい値（スレッシホールドレベル）を有し、負電圧発生部１０３の出力電圧，ＦＥＴ１１０９ａのソース及びドレイン電極間の電圧であるパワーアンプ電源電圧を測定し所定のしきい値以上か否かにより異常状態を検出し、検出結果を判定部１０８ｂに出力する。
【００２３】
判定部１０８ｂは、電圧監視部１０８ａの検出結果を入力するとともに、ベースバンドＬＳＩ１０６からの送信制御信号を入力し、前記送信制御信号と前記検出結果により異常状態の判定を行い、判定結果によりタイマ１０８ｆを用いて、切替ＳＷ１０８ｅ及び電界効果トランジスタ１０９ａのそれぞれ切替及びオン／オフを制御する。判定部１０８ｂは異常を判定していない状態では、ＦＥＴ２１０９ｂをオフ状態とするとともに、ＦＥＴ１１０９ａのゲートにベースバンドＬＳＩ１０６からの送信制御信号を切替ＳＷ１０８ｄを介して供給しており、ＦＥＴ１１０９ａは送信期間のみオン状態となりパワーアンプ１０２に電源電圧が供給される。
【００２４】
ここで、判定部１０８ｂは、非送信時（送信制御信号がハイレベル）に電圧監視部１０８ａによりＦＥＴ１１０９ａのドレインに電圧が観測された場合に異常と判定し、タイマ１０８ｆにより一定時間（Ｔ）の間、ＰｃｈＦＥＴ２１０９ｂのゲートをローレベルとし、ＦＥＴ２１０９ｂをオンさせ、電池１０７の出力を短絡する。これにより保護回路１０７ａが動作し、電池１０７の出力がオフされることにより、非送信時にパワーアンプ１０２へ電源が供給されるという異常状態を強制的に停止させる。
【００２５】
また、判定部１０８ｂは、送信時（送信制御信号がローレベル）に負電圧発生部１０３の電圧が異常、又はＦＥＴ１１０９ａのソース−ドレイン間の電圧差が異常の何れかが判定された場合に、タイマ１０８ｆにより一定時間（Ｔ秒）の間、切替ＳＷ１０８ｄを切り替え、ＦＥＴ１１０９ａのゲート電極を送信制御信号（ローレベル）からプルＵＰ抵抗１０８ｅへ切り替える。これによりＰｃｈＦＥＴ１１０９ａのゲート電極はハイレベルとなり、ＰｃｈＭＯＳＦＥＴであるＦＥＴ１１０９ａが当該期間オフ状態となりパワーアンプ１０２の電源電流を遮断する。尚、ＦＥＴ２１０９ｂは、判定部１０８ｂがタイマ１０８ｆによってＴ秒の経過を認識するとオフされ、短絡状態が解除される。又、切替ＳＷ１０８ｄは判定部１０８ｂがタイマ１０８ｆによってＴ秒経過を認識するとベースバンドＬＳＩ１０６の送信制御信号側へ切り替わる。
【００２６】
以上の動作により、保護回路１０７の動作しきい値を引き上げた場合にも、監視対象の異常が検出されると、当該異常の電流等の大小にかかわりなく保護回路１０７ａを動作させ、監視対象の異常状態を継続するような状況を回避することが可能となる。
（動作の説明）
図４は、本実施の形態の動作のフローチャートを示す図である。最初に移動携帯端末の正常動作について説明する。
本実施の形態の移動携帯端末に電池１０７から電力が供給され、各回路ブロックの正常動作時においては、ベースバンドＬＳＩ１０６はバースト状の送信を繰り返えす送信動作を行い、送信制御信号に送信時にのみローレベルを出力し、判定部１０８ｂはＦＥＴ２１０９ｂのベースにハイレベルを出力してＦＥＴ２１０９ｂをオフ状態とし、ＦＥＴ１１０９ａのゲートには送信制御信号が供給され、送信制御信号のローレベルの場合のみＦＥＴ１１０９ａがオン状態とし、パワーアンプ１０２に電源を供給して動作させる。この時ドライバーアンプ１０４及び直交変調器１０５も同期するバイアス電圧（Ｂｕｒｓｔ）により動作して送信動作が行われる。
【００２７】
次に、図１、図４を用いて本実施の形態の異常時を含む動作について説明する。
まず、判定部１０８ｂは、ベースバンドＬＳＩ１０６からの送信制御信号を監視し、送信の有無、つまり送信状態か非送信状態かを判定する（ｓ２０１）。非送信状態と判定した場合（ｓ２０１、ＮＯ）、電圧監視部１０８ａで測定したＦＥＴ１１０９ａのドレイン電圧の検出結果を判定する（ｓ２０２）。判定部１０８ｂはドレイン電圧の検出結果が０Ｖか否かを判定し（ｓ２０３）、０Ｖと判定した場合には（ｓ２０３、ＹＥＳ）、フローチャートのスタートへ戻る。０Ｖではないと判定した場合には（ｓ２０３、ＮＯ）、判定部１０８ｂはＦＥＴ２１０９ｂのゲートにローレベルの制御信号を出力してＦＥＴ２１０９ｂをオン状態とし（ｓ２０４）、電池１０７の出力を接地（ＧＮＤ）レベルに短絡させて保護回路１０７ａを動作させ、タイマ１０８ｆによって短絡後のＴ秒の経過を認識すると（ｓ２０５、ＹＥＳ）、ＦＥＴ２１０９ｂをオフ状態とし（ｓ２０６）、短絡状態を解除してフローチャートのスタートへ戻る。
【００２８】
ステップｓ２０１において、判定部１０８ｂがベースバンドＬＳＩ１０６からの送信制御信号により送信状態と判定した場合（ｓ２０１、ＹＥＳ）、負電圧発生部１０３の出力電圧の測定（検出）結果を判定し（ｓ２０７）。検出結果が必要なバイアス電圧−Ｖｇが検出されず異常の場合（ｓ２０８、ＮＯ）、判定部１０８ｂは切替ＳＷ１０８ｄをプルＵＰ抵抗側１０８ｅへ切り替え（ｓ２０９）、ＦＥＴ１１０９ａのゲート制御をベースバンドＬＳＩ１０６の送信制御信号から切り離し、強制的にハイレベル固定とする。ＰｃｈＭＯＳＦＥＴであるＦＥＴ１１０９ａはオフとなりパワーアンプ１０２への電源供給は遮断される。これにより異常状態は停止する。判定部１０８ｂはタイマ１０８ｆによってＦＥＴ１１０９ａのオフ状態からＴ秒の経過を認識すると（ｓ２１０、ＹＥＳ）、切替ＳＷ１０８ｄを再びベースバンドＬＳＩ１０６の送信制御信号へ戻し（ｓ２１０）、ＦＥＴ１１０９ａをオン状態とし正規の送信制御信号による制御状態とする（ｓ２１１）。
【００２９】
また、ステップｓ２０１において、ベースバンドＬＳＩ１０６からの送信制御信号が送信状態を示しており（ｓ２０１、ＹＥＳ）、且つ負電圧発生部１０３の出力電圧もバイアス電圧−Ｖｇを示し正常である場合（ｓ２０８、ＹＥＳ）、送信時のＦＥＴ１１０９ａのソース−ドレイン間の電位差ΔＶを測定し（ｓ２１２）、電位差ΔＶが抵抗１０８ｃで定められたしきい値Ｖｔｈより小さい場合（ｓ２１２、ＹＥＳ）には正常と判断してフローチャートのスタートへ戻る。
【００３０】
また、ステップｓ２１３において、電位差ΔＶがしきい値Ｖｔｈより大きい場合（ｓ２１２、ＮＯ）には異常と判断し、判定部１０８ｂは切替ＳＷ１０８ｄをプルＵＰ抵抗側１０８ｅへ切り替え（ｓ２０９）、ＦＥＴ１１０９ａのゲート電極をベースバンドＬＳＩ１０６の送信制御信号から切り離し、強制的にハイレベルに固定とする。これによりＦＥＴ１１０９ａはオフとなりパワーアンプ１０２への電源供給は遮断され、異常状態は停止する。判定部１０８ｂはタイマ１０８ｆによってＴ秒の経過を認識すると（ｓ２１０、ＹＥＳ）、切替ＳＷ１０８ｄを再びベースバンドＬＳＩ１０６の送信制御信号側へ戻し（ｓ２１１）、正規の送信制御信号による制御状態とする。
【００３１】
これら一連の動作により、監視対象の異常電流の大小に関係なく、誤動作等の異常時に電池１０７の保護回路１０７ａを動作させることが可能である。
（他の実施の形態）
以上の実施の形態では、保護回路を動作させる異常動作の監視対象としてパワーアンプの例を説明したが、パワーアンプ以外の各種の回路ブロックを監視対象とすることが可能である。
図５は、本発明の他の実施の形態を示す図である。パワーアンプ１０２に加えて、撮影モジュール、着信報知、イルミネーション等、パワーアンプ以内の複数の回路ブロック２０２、２０３を監視対象とし、各回路ブロックに対する電源電流を遮断する複数の電子スイッチ２０９ａ１、２０９ａ２をそれぞれ設けるように構成する。なお、図１に示す符号と同じ符号の構成は前述の実施の形態と同一機能を有する。
【００３２】
本実施の形態では、電圧監視部２０８ａは各回路ブロック２０２、２０３の監視箇所の電流又は電圧を入力して所定のしきい値と比較した結果を出力する。判定部２０８ｂは、各回路ブロック２０２、２０３に関しては、送信／非送信状態にかかわりなく、当該電流又は電圧が許容範囲内か否かを判断し、許容範囲外であることを検出した場合に、当該回路ブロックに対する電子スイッチ２０９ａ１又は２０９ａ２を制御して、当該回路ブロックへの電流を遮断するとともに電子スイッチ２０９ｂをオン状態とし、保護回路１０７ａを動作させる。なお、判定部２０８ｂによるパワーアンプ１０２に関する電源電流の制御については図１に示す実施の形態の動作と同様である。
【００３３】
また、更に他の実施の形態として、パワーアンプと同様に送信時に動作するような他の回路ブロックに対して設ける前記電子スイッチに関しては送信制御信号により制御するとともに、当該回路ブロックの監視箇所の異常時に送信制御信号を切断して当該回路ブロックへの電源電流を遮断するように構成することも可能である。
【００３４】
以上の実施の形態において、対象とする回路ブロックは任意に選定することが可能であり、パワーアンプへの適用においてもその前段のドライバアンプ１０４をも同時に又はそれぞれ独立に電源電流の遮断を制御するように検出回路１０８及び電源制御部１０９の構成を変更することが可能である。また異常検出のための監視箇所は単一ないし複数の箇所を対象とすることができ、監視方法も同時に行った監視結果により、又は複数箇所の所定順序の監視結果により判定するように構成することができることは明らかである。
【００３５】
【発明の効果】
本発明によれば、簡単な構成により電池電源の保護に加えて、電池出力に直接接続されるような回路ブロックが故障又は異常状態に陥った場合に直ちに電池電流を遮断することができ、回路ブロックに対するフェールセーフ機能を実現することができる。
【００３６】
このため、イルミネーション、着信、鳴音報知等の電力消費の関係から電池の保護回路のしきい値電流を大電流に対応すべく高く設定されることにより、該保護回路の保護領域と監視している特定の回路ブロックの最大電流との間に差が生じても、保護回路が動作しない領域を無くすことが可能である。
【００３７】
本発明によれば、移動携帯端末において、電池出力に直接接続される送信回路等が故障又は異常動作に陥り、本来の電池保護回路の動作電流以下の異常電流が流れ続ける場合に、当該送信回路等の電流を直ちに遮断するとともに、電池出力を短絡させたり強制的に送信制御をオフ状態とすることにより送信系回路の機能を確実に停止させ、装置の安定性、安全性を維持することが可能である。
【００３８】
本発明によれば、移動携帯端末の回路ブロックの安全性を維持するとともに、多機能化の電力消費に対応できるように電池の保護回路のしきい値を引き上げることが可能であるという副次効果をも有する。
【図面の簡単な説明】
【図１】本発明の移動携帯端末の実施の形態を示す図である。
【図２】保護回路を備える電池１０７の構成例を示す図である。
【図３】本実施の形態で電圧監視対象のパワーアンプ１０２の構成例を示す図である。
【図４】本実施の形態の動作のフローチャートを示す図である。
【図５】本発明の他の実施の形態を示す図である。
【符号の説明】
１０２  パワーアンプ
１０３  負電圧発生部
１０４  ドライバアンプ
１０６  ベースバンドＬＳＩ
１０７  電池
１０８、２０８  検出回路
１０９  パワーアンプ電源制御部
２０２、２０３  回路ブロック
【図１】
2005020208.tif 000003
【図２】
2005020208.tif 000004
【図３】
2005020208.tif 000005
【図４】
2005020208.tif 000006
【図５】
2005020208.tif 000007